(57)【特許請求の範囲】
【請求項１】
背面に定着部を形成した台座の上方にチェーン連結部を設け、当該台座の前方には宝石を揺動可能に吊り下げた装身具ペンダントにおいて、前記チェーン連結部の先端に宝石を把持した石座が吊り下げられると共に、側面方向から見た場合の前記台座の上側は前方に傾斜し、かつ当該チェーン連結部は横長状に形成されて後端に補助定着部が設けてあることを特徴とする装身具用ペンダント。
【請求項２】
側面方向から見た場合の前記台座の上端は、前記チェーン連結部の略中間に取り付けられたものであることを特徴とする請求項１に記載の装身具用ペンダント。
【請求項３】
側面方向から見た場合の前記台座の上端は、前記チェーン連結部の先端に取り付けられたものであることを特徴とする請求項１に記載の装身具用ペンダント。
【請求項４】
側面方向から見た場合の前記チェーン連結部は、略マーキース状又は略楕円状の板体にチェーン連結孔を形成したもの、あるいは略マーキース状又は略楕円状の輪環である請求項１〜３のいずれか１項に記載の装身具用ペンダント。
【発明の詳細な説明】
【技術分野】
【０００１】
本発明は、ダイアモンド等の宝石を揺動可能に吊下げて形成する装身具用ペンダントに関する。
【背景技術】
【０００２】
本願の出願人は、図５に示すように、上方にチェーン連結部１４２を有した台座（ペンダント本体）の背面にテーパー状の定着部１４４を形成し、正面略中央には、先端に吊下孔１４６と後方に湾曲部１４７を設けた吊下部１４３を形成し、該吊下孔１４６には宝石１５０を取り付けた宝石用台座１２０を揺動可能に吊下げることを特徴とする装身具用ペンダント１４０（以下、「揺れるペンダント」と省略する。）について特許出願（特願２００７−１７０７０８）をしている。
【０００３】
このような「揺れるペンダント」では、使用中の身体の動きにより宝石が微妙に揺動し、様々な角度の光が入射し、吊り下げられた宝石は十分に光輝くことができる。また、「揺れるペンダント」では、ネックレスチェーンにより首からぶら下げた状態で宝石が前後左右に揺れても、台座の定着部が胸元と接触して安定した使用が可能である。
【０００４】
ところで、「揺れるペンダント」では、吊り下げられた宝石が揺動するいずれの方向においても台座（ペンダント本体）と接触しないように、宝石（宝石を取り付けた石座）と台座との間に十分な空間が確保されなければならない。
【０００５】
したがって、この台座においては、吊下部を前方に高く隆起させたり、台座後方に大きく窪んだ湾曲部を形成する等、種々のデザイン上の特別の工夫が必要とされ、特に、「揺れるペンダント」を上下方向に複数連続して１の装身具用ペンダントとするようなデザインでは、宝石が吊り下げられる台座のみならず、他の台座に宝石が接触することも防止しなければならず、前記に加えてさらなるデザイン上の工夫が必要とされていた。
【特許文献１】特開２００９−２３３０９１
【発明の開示】
【発明が解決しようとする課題】
【０００６】
本発明は、このような従来技術の課題を解決し、台座の上側を前方に湾曲しかつネックレスチェーンを挿通するチェーン連結部を横長状に形成することで、前方高く隆起する吊下部や大きく窪んだ湾曲部を形成しなくても、吊り下げられた宝石が台座と接触せず、身体の動きに合わせ微妙に揺動することができる装身具用ペンダントを提供することを目的とする。
【課題を解決するための手段】
【０００７】
上記課題を解決するために請求項１に記載された本発明は、背面に定着部を形成した台座の上方にチェーン連結部を設け、当該台座の前方には宝石を揺動可能に吊り下げた装身具ペンダントにおいて、前記チェーン連結部の先端に宝石を把持した石座が吊り下げられると共に、側面方向から見た場合の前記台座の上側は前方に傾斜し、かつ当該チェーン連結部は横長状に形成されて後端に補助定着部が設けてある装身具用ペンダントであることを特徴とする。
【０００８】
また、請求項２に記載された本発明は、請求項１に記載の装身具用ペンダントにおいて、側面方向から見た場合の前記台座の上端は、前記チェーン連結部の略中間に取り付けられたものであることを特徴とする。さらに、請求項３に記載された本発明は、請求項１に記載の装身具用ペンダントにおいて、側面方向から見た場合の前記台座の上端は、前記チェーン連結部の先端に取り付けられたものであることを特徴とする。
【０００９】
くわえて、本発明においては、側面方向から見た場合の前記チェーン連結部は、略マーキース状又は略楕円状の板体にチェーン連結孔を形成したもの、あるいは略マーキース状又は略楕円状の輪環であることが好ましい。
【発明の効果】
【００１０】
このような装身具用ペンダントによれば、身につける者の動きにより吊り下げられた宝石は前後左右に揺動し十分な輝きを発揮できるばかりか、台座に高く隆起する吊下部や大きく窪んだ湾曲部を形成する必要がない。したがって、美しく自然なデザインの「揺れるペンダント」を提供することができる。
【００１１】
また、台座背面の定着部にさらに補助定着部を追加し、使用中の台座が振れたり裏返しにならない極めて安定性に富んだ「揺れるペンダント」を提供することができる。さらに、複数の台座に複数の宝石を吊り下げるデザインにおいても、安定しかつデザイン性に優れた「揺れるペンダント」を提供することができる。
【発明を実施するための最良の形態】
【００１２】
以下、本発明にかかる装身具用ペンダントの好ましい実施形態を図面により詳細に説明する。図１において、（ａ）は、第１装身具用ペンダントの側面図、（ｂ）は、第１装身具用ペンダントの正面図である。また、図２は、第１装身具用ペンダントの使用状態を示す説明図である。
【００１３】
第１装身具用ペンダント１０は、例えば、金、プラチナ、シルバー、真鍮等の金属を素材として、ロストワックスキャスティングやプレス切断加工により製造されるもので、チェーン連結部１２を設けた台座１４に宝石１６を吊り下げて構成される。
【００１４】
台座１４は、正面方向から見た場合には、例えば、略マーキース形状の板体からなり、側面方向から見た場合には、上側は徐々に肉薄になると共に前方に傾斜し、下側は一定の肉厚でほぼ垂直に近いなだらかな傾斜のラインとなり、その背面に平坦な定着部１８が形成される。
【００１５】
また、台座１４の上端は、ロー付け等の手法により後述するチェーン連結部１２の略中間に取り付けられる。
【００１６】
チェーン連結部１２は、正面方向から見た場合には、台座１４の上方略中央に取り付けられ、側面方向から見た場合には、例えば、横長状の略マーキース形の板体の後方にチェーン連結孔２０を開口したもので、先端の鋭角な部分には宝石１６を把持した石座２２を吊り下げるための吊下環２４が取り付けられている。
【００１７】
一方、チェーン連結部１２の後端は、緩やかな曲線ラインとなり、第１装身具用ペンダント１０がネックレスチェーン２６により首からぶら下げられる状態において、胸元と接触する補助定着部２８が設けられる。
【００１８】
宝石１６は、各爪２３を折り曲げて筒状の石座２２に把持され、石座２２の上方に取り付けられた輪環２９を介して、吊下環２４に取り付けられる。
【００１９】
このような第１装身具用ペンダント１０をネックレスチェーン２６により首からぶら下げると、使用者の胸元のラインは緩やかに傾斜しているため、図２に示すように、台座１４の定着部１８とチェーン連結部１２の補助定着部２８の２箇所が胸元Ａと接触することができる。すなわち、ネックレスチェーン２６で形成される仮想ラインと、補助定着部２８と定着部１８の接触面で形成される仮想ラインがほぼ平行となることで、使用中の第１装身具用ペンダント１０は胸元Ａで極めて安定する。
【００２０】
さらに、第１装身具用ペンダント１０においては、台座１４の上側が徐々に肉薄になると共に前方に傾斜している。よって、台座１４の前方に高く隆起する吊下部を形成しなくても、吊り下げられた宝石１６は、使用中に台座１４と接触することなく、身体の動きに合わせ微妙に揺動する。
【００２１】
図３において、（ａ）は、第２装身具用ペンダントの側面図、（ｂ）は、第２装身具用ペンダントの正面図である。
【００２２】
第２装身具用ペンダント３０は、第１装身具用ペンダント１０と同様の素材や同様の製法で製造されるもので、チェーン連結部３２を設けた台座３４に宝石３６を吊り下げて構成される点も同様である。
【００２３】
台座３４は、正面方向から見た場合には、例えば、中央が開口された略マーキース形状の枠体からなり、側面方向から見た場合には、上側は徐々に細枠になると共に前方に大きく傾斜し、下側は一定の太枠によりほぼ垂直に近いなだらかな傾斜のラインを形成し、その背面に平坦な定着部３８が形成される。
【００２４】
また、台座３４の上端は、ロー付け等の手法により後述するチェーン連結部３２の先端に取り付けられる。
【００２５】
チェーン連結部３２は、正面方向から見た場合には、台座３４の上方略中央に取り付けられ、側面方向から見た場合には、例えば、横長状の略マーキース形の輪環でチェーン連結孔４０を形成したもので、先端の鋭角な部分には宝石３６を把持した石座４２を吊り下げるための吊下環４４が取り付けられている。
【００２６】
一方、チェーン連結部３２の後端は、緩やかな曲線ラインとなり、第２装身具用ペンダント３０がネックレスチェーンにより首からぶら下げられる状態において、胸元と接触する補助定着部４８を設けてある。
【００２７】
宝石３６は、第１装身具用ペンダント１０と同様に、輪環４９により吊下環４４に取り付けられる。
【００２８】
このような第２装身具用ペンダント３０をネックレスチェーンにより首からぶら下げると、第１装身具用ペンダント１０と同様に、台座３４の定着部３８とチェーン連結部３２の補助定着部４８の２箇所が使用者の胸元と接触し、ネックレスチェーンで形成される仮想ラインと、補助定着部４８と定着部３８の接触面で形成される仮想ラインがほぼ平行となることで、使用中の第２装身具用ペンダント３０は胸元で極めて安定する。
【００２９】
また、第２装身具用ペンダント３０においては、台座３４の上側が徐々に肉薄の枠体になると共に前方に大きく傾斜しており、かつ台座３４の略中央が開口されて、宝石３６と台座３４の間にさらに十分な空間部が形成される。よって、台座３４の前方に高く隆起する吊下部を形成しなくても、吊り下げられた宝石３６がペンダント使用中に台座３４と接触せず、身体の動きに合わせ微妙に揺動する。
【００３０】
図４は、第３装身具用ペンダント５０の側面図である。
【００３１】
第３装身具用ペンダント５０は、第１装身具用ペンダント１０を上下方向に３連続したもので、第１装身具用ペンダント１０と同様の素材や同様の製法で製造され、同様にチェーン連結部５２を設けた台座５４に宝石５６を吊り下げて構成される。
【００３２】
各々の台座５４は、第１装身具用ペンダントで使用するものと全く同様で、側面方向から見た場合には、上側は徐々に肉薄になると共に前方に傾斜し、下側は一定の肉厚のほぼ垂直に近いなだらかな傾斜のラインを形成し、その背面に平坦な定着部５８が形成されている。
【００３３】
また、最上方に位置する台座５４の上端は、ロー付け等の手法により後述するチェーン連結部５２の略中間に取り付けられている。
【００３４】
チェーン連結部５２は、第１装身具用ペンダント１０で使用するものと全く同様で、側面方向から見た場合には、例えば、横長状の略マーキース形の板体の後方にチェーン連結孔６０を開口したもので、先端の鋭角な部分には宝石５６を把持した石座６２を吊り下げるための吊下環６４が取り付けられている。
【００３５】
一方、チェーン連結部５２の後端は、緩やかな曲線ラインとなり、第３装身具用ペンダント３０がネックレスチェーンにより首からぶら下げられると、胸元に接触する補助定着部６８を設けている。
【００３６】
宝石５６は、第１装身具用ペンダント１０と同様の方法で、輪環６９により吊下環６４に取り付けられる。
【００３７】
このような第３装身具用ペンダント５０をネックレスチェーンにより首からぶら下げると、第１装身具用ペンダント１０と同様に、チェーン連結部５２の補助定着部６８と各々の台座５４の定着部５８の合計４箇所が胸元と接触し、ネックレスチェーンで形成される仮想ラインと、補助定着部６８と定着部５８の接触面で形成される仮想ラインがほぼ平行となることで、使用中の第３装身具用ペンダント５０は胸元で極めて安定する。
【００３８】
また、第３装身具用ペンダント５０においては、台座５４の上側が徐々に肉薄になると共に前方に傾斜している。よって、台座５４の前方に高く隆起する吊下部を形成しなくても、吊り下げられた宝石５６はペンダント使用中に台座５４と接触せず、身体の動きに合わせ微妙に揺動する。
【００３９】
本発明は上記の実施形態に限定されず、種々変更して実施することが可能である。例えば、上記実施の形態では、正面方向から見た台座を略マーキース形状のデザインに限定したが、オーバル形状であっても、ハート形状であっても、上側が前方に湾曲しかつ背面に定着部を形成してあれば、どのようなデザインでも差し支えない。
【００４０】
また、側面方向から見た場合に、チェーン連結部の後端の形状は必ずしも緩やかな曲線ラインを描く必要はない。鋭角のような直線ラインを描くようなものであっても、チェーン連結部の後端に補助定着部が設けてあれば足りる。すなわち、定着部を補助して同時に胸元に接触するチェーン連結部を有していることが必要十分であり、かかる補助定着部により使用中の台座を安定させることができる。
【図面の簡単な説明】
【００４１】
【図１】（ａ）は、第１装身具用ペンダントの側面図、（ｂ）は、第１装身具用ペンダントの正面図である。
【図２】第１装身具用ペンダントの使用状態を示す説明図である。
【図３】（ａ）は、第２装身具用ペンダントの側面図、（ｂ）は、第２装身具用ペンダントの正面図である。
【図４】図４は、第３装身具用ペンダント５０の側面図である。
【図５】（ａ）は、従来の揺れるペンダントの側面図、（ｂ）は、従来の揺れるペンダントの正面図である。
【符号の説明】
【００４２】
１０  第１装身具用ペンダント
１２  チェーン連結部
１４  台座
１６  宝石
１８  定着部
２０  チェーン連結孔
２２  石座
２３  各爪
２４  吊下環
２６  ネックレスチェーン
２８  補助定着部
２９  輪環
３０  第２装身具用ペンダント
３２  チェーン連結部
３４  台座
３６  宝石
３８  定着部
４０  チェーン連結孔
４２  石座
４４  吊下環
４８  補助定着部
４９  吊下環
５０  第３装身具用ペンダント
５２  チェーン連結部
５４  台座
５６  宝石
５８  定着部
６０  チェーン連結孔
６２  石座
６４  吊下環
６８  補助定着部
６９  輪環
１２０  宝石用台座
１４０  装身具用ペンダント
１４２  チェーン連結部
１４３  吊下部
１４４  定着部
１４６  吊下孔
１４７  湾曲部
１５０  宝石
Ａ  胸元
【図１】
0005461966.tif 000002
【図２】
0005461966.tif 000003
【図３】
0005461966.tif 000004
【図４】
0005461966.tif 000005
【図５】
0005461966.tif 000006